(57)【要約】【課題】  ハウジング２の内周面に常に弾性接触することが可能な弾性変形力を有し、流体の圧縮圧力を考慮した許容応力まで耐え得る高剛性の板スプリング弁６を使用することで、圧縮流体の圧送を行うことのできるスーパーチャージャー１を提供することにある。【解決手段】  スーパーチャージャー１は、円筒形状のハウジング２内に偏心状態でロータ３が取り付けられ、ロータ３の外周に複数の挿入孔１２が形成されており、それらの挿入孔１２内に、ハウジング２の内周面に常に弾性接触することが可能な弾性変形力を有する複数の板スプリング弁６が差し込まれている。また、各板スプリング弁６を、吸入空気の圧縮圧力を考慮した許容設定応力まで耐え得る高剛性の材料で製造することにより、吸気管の途中に介装されて、吸気管の吸気通路内をエンジンの燃焼室に向かって流れる吸入空気を強制的に吸気（過給）するスーパーチャージャー１の板状弁体として機能する。【選択図】  図１
2005351172.tif 000002
【特許請求の範囲】
【請求項１】
（ａ）上流側の流体配管と下流側の流体配管との間に介装された円筒形状のハウジングと、
（ｂ）このハウジング内に回転自在に収容されて、前記ハウジングの中心軸線よりも偏心した位置に回転中心軸線を有し、且つ外周に設けられた複数の挿入部を有する回転体と、
（ｃ）前記複数の挿入部内にそれぞれ挿入されており、前記ハウジングの内周と前記回転体の外周との間に形成される環状空間を複数の可変容積空間に区画する複数の板状弁体とを備え、
前記複数の可変容積空間のうちの少なくとも１つの可変容積空間の容積が増大と減少とを繰り返すことで、前記上流側の流体配管から前記可変容積空間内に吸入した流体を圧縮した状態で、前記下流側の流体配管に吐出するスーパーチャージャーにおいて、
前記複数の板状弁体は、前記ハウジングの内周面に常に弾性接触することが可能な弾性変形力を有し、流体の圧縮圧力を考慮した許容応力まで耐え得る高剛性の板スプリング弁であって、
前記板スプリング弁は、前記ハウジングの内周面との接触角度が鈍角となるように設けられていることを特徴とするスーパーチャージャー。
【請求項２】
請求項１に記載のスーパーチャージャーにおいて、
前記複数の板スプリング弁は、前記回転体の回転中心軸線に対して直交する半径方向に取り付けられているか、あるいは前記回転体の半径方向に対して傾斜して取り付けられていることを特徴とするスーパーチャージャー。
【請求項３】
請求項１または請求項２に記載のスーパーチャージャーにおいて、
前記回転体を回転駆動する電動機を備えたことを特徴とするスーパーチャージャー。
【請求項４】
請求項１または請求項２に記載のスーパーチャージャーにおいて、
前記回転体は、前記ハウジングの中心軸線よりも偏心した位置に回転中心軸線を有する第１回転体、およびこの第１回転体の外周側に設けられた円筒状の第２回転体よりなり、  前記複数の挿入部は、前記第１回転体の外周に設けられて、前記複数の板スプリング弁を保持固定する複数の保持部、および前記第２回転体を貫通するように設けられて、前記複数の板スプリング弁を摺動自在に保持する複数の摺動溝よりなることを特徴とするスーパーチャージャー。
【請求項５】
請求項４に記載のスーパーチャージャーにおいて、
前記第１回転体を、前記ハウジング内で前記複数の板スプリング弁を全閉および全開することが可能な回転角度のみ駆動する電動発電機と、
前記第１回転体、前記第２回転体および前記複数の板スプリング弁よりなる内蔵物全体を回転駆動する電動機と
を備え、
前記電動発電機は、通常運転時に発電機として機能させて、バッテリの充電および電気装置へ電力を供給することを特徴とするスーパーチャージャー。
【請求項６】
請求項５に記載のスーパーチャージャーにおいて、
前記電動機の応答遅れを要因として目標過給圧に実過給圧が追従しない時、あるいは前記電動機の異常故障時に、前記電動発電機を電動機として機能させて、前記第１回転体を前記複数の板スプリング弁の全開方向に回転させる過給機制御装置を備えたことを特徴とするスーパーチャージャー。
【請求項７】
請求項３または請求項５に記載のスーパーチャージャーにおいて、
前記スーパーチャージャー付きエンジンの運転状態に基づいて、前記電動機の目標回転速度または前記スーパーチャージャーの目標過給圧を算出し、この算出した前記電動機の目標回転速度または前記スーパーチャージャーの目標過給圧に基づいて、前記電動機の回転速度を制御する過給機制御装置を備えたことを特徴とするスーパーチャージャー。
【発明の詳細な説明】
【技術分野】
【０００１】
本発明は、吸入した流体を圧縮状態にして吐出するスーパーチャージャーに関するもので、特にエンジンの吸気管の途中に介装されて、流入した吸入空気を圧縮してエンジンの燃焼室内に圧送する板スプリング式過給機に係わる。
【背景技術】
【０００２】
［従来の技術］
従来より、流体（例えば空気や水等）の吸引および圧送、流体（例えば冷媒ガス等）の圧縮などに使用することが可能な容積形ポンプとして、円筒形状のケーシング内に偏心状態にロータが取り付けられ、ロータの外周には、スリットが形成されており、そのスリット内に板状のベーンが挿入されたベーン式ポンプが知られている。このベーン式ポンプでは、板状のベーンを収容するスリットにベーンを押し出し付勢するためのスプリング等の付勢手段を設ける必要があるため、構造が複雑になり、小型化や低価格化が難しいという不具合があった。
【０００３】
そこで、簡単な構造で、小型化が図れる容積形ポンプとして、図９に示したような容積形ポンプが提案されている（例えば、特許文献１参照）。これは、円筒形状のケーシング１０１と、このケーシング１０１内に偏心した状態で収納されたロータ１０２とを備えている。ケーシング１０１の下面には、吸引口１０３および吐出口１０４が形成されている。ロータ１０２は、電動モータの出力軸が入力嵌合部１０５に嵌合されることにより電動モータの回転がロータ１０２に伝えられるように構成されている。また、ロータ１０２の外周には、支点軸を持った湾曲形状からなる４本の弁１０６が配設されている。なお、容積形ポンプは、これらの各弁１０６間とケーシング１０１の内周面とロータ１０２の外周面とによって、ケーシング１０１内に形成される真円状のキャビティを、４つの可変容積空間１０７に区画されている。
【０００４】
［従来の技術の不具合］
ところが、従来の特許文献１に記載の容積形ポンプにおいては、ロータ１０２が回転すると、弁１０６は遠心力でケーシング１０１の内周面に接触しながら回り、可変容積空間１０７の容積が増大および減少を繰り返すことで、可変容積空間１０７内に吸入した流体を圧送するようになっている。すなわち、４本の弁１０６は遠心力のみでケーシング１０１の内周面に接触しており、可変容積空間１０７内の圧力が少し上がると、直ちに弁１０６が逃げる構造であるため、圧縮流体の圧送には不向きであった。特に、特許文献１に記載の容積形ポンプを、エンジンの燃焼室内に供給する吸入空気を過給して、高出力および低燃費を得ようとするスーパーチャージャー等の電動過給機に適用するには不向きであった。
【特許文献１】特開２００３−１０６２７５号公報（第１−４頁、図１−図７）
【発明の開示】
【発明が解決しようとする課題】
【０００５】
本発明の目的は、ハウジングの内周面に常に弾性接触することが可能な弾性変形力を有し、流体の圧縮圧力を考慮した許容応力まで耐え得る高剛性の板スプリング弁を使用することで、圧縮流体の圧送を行うことのできるスーパーチャージャーを提供することにある。
【課題を解決するための手段】
【０００６】
請求項１に記載の発明によれば、上流側の流体配管と下流側の流体配管との間に介装された円筒形状のハウジング内に偏心した状態で回転体を回転自在に収容し、ハウジングの内周と回転体の外周との間に形成される環状空間を複数の板状弁体によって複数の可変容積空間に区画している。そして、複数の可変容積空間のうちの少なくとも１つの可変容積空間の容積が増大と減少とを繰り返すことで、上流側の流体配管から可変容積空間内に吸入した流体が、圧縮された状態で下流側の流体配管に吐出されるように構成されている。  
【０００７】
そして、複数の板状弁体として、ハウジングの内周面に常に弾性接触することが可能な弾性変形力を有し、流体の圧縮圧力を考慮した許容応力まで耐え得る高剛性の板スプリング弁を使用することにより、圧縮流体の圧送を行うことができる。また、板スプリング弁は、ハウジングの内周面に常に弾性接触しているので、その可変容積空間から隣の可変容積空間への流体の漏洩を最小限に抑えることができる。また、板スプリング弁とハウジングの内周面との接触角度を鈍角とすることにより、板スプリング弁がハウジングの内周面に鈍角接触することになるので、応力変化が少なく割れ難い。
【０００８】
請求項２に記載の発明によれば、複数の板スプリング弁は、回転体の回転中心軸線に対して直交する半径方向に取り付けられているか、あるいは回転体の半径方向に対して傾斜して取り付けられていることを特徴としている。また、請求項３に記載の発明によれば、回転体を回転駆動する電動機を備えたことを特徴としている。さらに、請求項４に記載の発明によれば、回転体は、ハウジングの中心軸線よりも偏心した位置に回転中心軸線を有する第１回転体、およびこの第１回転体の外周側に設けられた円筒状の第２回転体よりなる。そして、複数の挿入部は、第１回転体の外周に設けられて、複数の板スプリング弁を保持固定する複数の保持部、および第２回転体を貫通するように設けられて、複数の板スプリング弁を摺動自在に保持する複数の摺動溝よりなることを特徴としている。
【０００９】
請求項５に記載の発明によれば、第１回転体を、ハウジング内で複数の板スプリング弁を全閉および全開することが可能な回転角度のみ駆動する電動発電機と、第１回転体、第２回転体および複数の板スプリング弁よりなる内蔵物全体を回転駆動する電動機とを備えている。そして、通常運転時には、第１回転体が電動機によって第２回転体および複数の板スプリング弁と共に回されるので、電動発電機が発電機として機能して、バッテリの充電および電気装置へ電力を供給することができる。
【００１０】
請求項６に記載の発明によれば、電動機の応答遅れを要因として目標過給圧に実過給圧が追従しない時、あるいは電動機の異常故障時に、電動発電機を電動機として機能させて、第１回転体を複数の板スプリング弁の全開方向に回転させる過給機制御装置を備えたことを特徴としている。また、請求項７に記載の発明によれば、スーパーチャージャー付きエンジンの運転状態に基づいて、電動機の目標回転速度またはスーパーチャージャーの目標過給圧を算出し、この算出した電動機の目標回転速度またはスーパーチャージャーの目標過給圧に基づいて、電動機の回転速度を制御する過給機制御装置を備えたことを特徴としている。
【００１１】
ここで、ハウジングを、エンジンの燃焼室内に吸入空気を送り込むための吸気管の途中に介装して、本発明を、吸入空気を圧縮して強制的に吸気（過給）させるスーパーチャージャーとして機能させる場合、加速時、特にフル加速で電動機の応答遅れを要因として目標過給圧に実過給圧が追従しない時には、電動発電機を電動機として機能させて、第１回転体を複数の板スプリング弁の全開方向に回転させることにより、エンジンの吸入行程で発生する吸気管負圧によりハウジングの内周と回転体の外周との間に形成される環状空間を経由してエンジンの燃焼室内に吸入空気が吸入される。これによって、スーパーチャージャーを駆動する電動機の応答遅れに起因するエンジン回転速度の上昇遅れを防止することができるので、例えば運転者のアクセル操作量に対応した加速感を得ることができ、ドライバビリティを向上することができる。
【００１２】
また、ハウジングを、エンジンの燃焼室内に吸入空気を送り込むための吸気管の途中に介装して、本発明を、吸入空気を圧縮して強制的に吸気（過給）させるスーパーチャージャーとして機能させる場合、電動機の異常故障時、例えば電動機がフェイル（異常停止）した時には、電動発電機を電動機として機能させて、第１回転体を複数の板スプリング弁の全開方向に回転させることにより、エンジンの吸入行程で発生する吸気管負圧によりハウジングの内周と回転体の外周との間に形成される環状空間を経由してエンジンの燃焼室内に吸入空気が吸入される。これによって、エンジンが止まってしまうのを防止することができるので、車両を安全な場所に退避走行（リンプフォーム）させることができる。
【発明を実施するための最良の形態】
【００１３】
本発明を実施するための最良の形態は、圧縮流体の圧送を行うという目的を、ハウジングの内周面に常に弾性接触することが可能な弾性変形力を有し、流体の圧縮圧力を考慮した許容応力まで耐え得る高剛性の板スプリング弁を使用することで実現した。
【実施例１】
【００１４】
［実施例１の構成］
図１および図２は本発明の実施例１を示したもので、図１および図２はスーパーチャージャーの主要構造を示した図である。
【００１５】
本実施例のスーパーチャージャー１は、多気筒４サイクルガソリンエンジン等の電動過給機付内燃機関（スーパーチャージャーエンジン：以下エンジンと略す）の吸気ポートおよび燃焼室内に吸入空気を供給する吸気管の途中に介装されて、図示しない電動機によって回転駆動される板スプリング式過給機（機械式過給機）である。ここで、吸気管の内部には、エンジンの燃焼室内に吸入空気を送り込むための吸気通路（図示せず）が形成されている。この吸気管は、吸入空気を濾過するエアクリーナ（図示せず）と、このエアクリーナのケース（図示せず）の下流端に吸気ダクトを介して気密的に連結された円筒形状のハウジング２と、このハウジング２の下流端にサージタンクを介して気密的に連結されたインテークマニホールド（またはインテークパイプ：図示せず）とから構成されている。  
【００１６】
エンジンは、吸入空気と燃料との混合気を燃焼室内で燃焼させて得る熱エネルギーにより出力を得るもので、吸気管の下流端に気密的に連結される吸気ポートを形成するシリンダヘッドと、吸気ポートより混合気が吸入される燃焼室を形成するシリンダブロックとを備えている。シリンダヘッドの一方側に形成される吸気ポート（インテークポート）は、吸気バルブ（インテークバルブ）により開閉される。また、シリンダヘッドの他方側に形成される排気ポートは、排気バルブ（エキゾーストバルブ）により開閉される。そして、シリンダヘッドとシリンダブロックとで形成されるシリンダ内には、エンジンのクランクシャフト（エンジン出力軸：図示せず）にコンロッド（図示せず）を介して連結されるピストンが摺動自在に配設されている。なお、シリンダヘッドには、先端部が燃焼室内に露出するようにスパークプラグ（図示せず）が取り付けられている。また、シリンダヘッドには、吸気ポートの壁面または吸気バルブの背壁面に燃料を噴射する電磁式燃料噴射弁（インジェクタ）が取り付けられている。
【００１７】
ハウジング２の図示上端には、天井側プレート（図示せず）が取り付けられており、また、ハウジング２の図示下端には、底側プレート（図示せず）が取り付けられている。そして、ハウジング２内には、円柱形状のロータ（回転体）３がハウジング２の中心軸線よりも偏心した状態で回転自在に収容されている。そして、ハウジング２の内周面とロータ３の外周面との間には、環状空間が形成されている。なお、ハウジング２の一方側（図２において図示右斜め上側）には、環状空間内に吸入空気を吸入するための空気吸入口（図示せず）が形成されている。また、ハウジング２の他方側（図２において図示右斜め下側）には、環状空間内より吸入空気を吐出するための空気吐出口（図示せず）が形成されている。
【００１８】
ロータ３は、ハウジング２の中心軸線よりも偏心した位置に回転中心軸線を有している。そして、ロータ３には、電動機の駆動軸（出力軸）の外周に嵌合する嵌合孔１１が形成されている。そして、電動機の駆動軸の一端は、天井側プレートまたは底側プレートのうちの一方のプレートに設けられたベアリング（図示せず）により回転自在に軸支されている。電動機は、駆動軸に一体化されたロータ、およびこのロータの外周側に対向配置されたステータよりなるブラシレスＤＣモータであって、ロータには、永久磁石（マグネット）を有するロータコアが設けられ、また、ステータには、ステータコイルが巻回されたステータコアおよびステータコイルの起磁力により磁化されるヨークハウジングが設けられている。なお、電動機の出力軸とスーパーチャージャー１の駆動軸との間に、電動機の出力軸の回転速度を所定の減速比となるように減速する歯車減速機構を設けても良い。また、電動機として、ブラシレスＤＣモータの代わりに、ブラシ付きの直流（ＤＣ）モータや、三相誘導電動機等の交流（ＡＣ）モータを用いても良い。
【００１９】
そして、ロータ３の外周には、ロータ３の回転中心軸線方向に対して直交する半径方向（放射状）に複数の挿入孔（スリット、挿入部）１２が形成されている。各挿入孔１２内には、板スプリング弁６が圧入（締まり嵌め）等によりそれぞれ保持固定されている。複数の板スプリング弁６は、ロータ３の回転方向（図示左回転方向）に凸となるように湾曲しており、ハウジング２の内周面に常に弾性接触することが可能な弾性変形力を有し、吸入空気の圧縮圧力を考慮した許容応力まで耐え得る高剛性のばね鋼（例えばステンレス鋼等）よりなる。そして、板スプリング弁６の先端に設けられる接触子１３は、ハウジング２の内周面との接触角度が鈍角となるようにハウジング２の内周面に常に当接している。また、ロータ３の外周面より突出し先端部の接触子１３がハウジング２の内周面に常に弾性接触する複数の板スプリング弁６は、ハウジング２の内周面とロータ３の外周面との間に形成される環状空間を複数の可変容積空間７に区画する複数の板状弁体を構成している。
【００２０】
ここで、本実施例では、スーパーチャージャー１によってより多くの吸入空気（圧縮流体）を過給することによってエンジンの高出力化および低燃費化の両立を図るという目的で、エンジンの運転状態を検出する各種センサからのセンサ信号に基づいて、スーパーチャージャー１の稼働状態が最適条件となるように電動機の回転速度を制御するエンジン制御ユニット（以下ＥＣＵと呼ぶ）を備えている。このＥＣＵの内部には、ＣＰＵ、ＲＡＭまたはＲＯＭ等のメモリ、入力回路、出力回路、電源回路、電動機駆動回路等の機能を含んで構成されるマイクロコンピュータ（過給機制御装置）が設けられ、各種センサからのセンサ信号がＡ／Ｄ変換器によってＡ／Ｄ変換された後に、マイクロコンピュータに入力されるように構成されている。
【００２１】
マイクロコンピュータには、エアフローメータ（吸入空気量センサ：図示せず）からの吸入空気量信号、吸気温センサ（温度センサ：図示せず）からの吸気温信号、吸気圧センサ（圧力センサ：図示せず）からの吸気圧信号または過給圧信号、アクセル開度センサ（図示せず）からのアクセル開度信号、およびクランク角度センサ（図示せず）からのクランク角度信号等のセンサ信号が入力される。ここで、エアフローメータおよび吸気温センサは、スーパーチャージャー１よりも上流側の吸気管（例えば吸気ダクト）に設置されており、また、吸気圧センサは、スーパーチャージャー１よりも下流側の吸気管（例えばサージタンク）に設置されている。なお、マイクロコンピュータは、クランク角度センサからのクランク角度信号のパルス間隔時間を計測することでエンジン回転速度を検出する。また、スーパーチャージャー１よりも下流側の吸気管圧力を吸気圧センサによって検出し、この検出した吸気管圧力と計測したエンジン回転速度とをＥＣＵで演算することにより間接的に吸入空気量を求めるようにしても良い。この場合には、エアフローメータを廃止できる。
【００２２】
［実施例１の作用］
次に、本実施例のスーパーチャージャー１の作用を図１および図２に基づいて簡単に説明する。
【００２３】
エンジンの吸気行程では、吸気バルブが開かれ、排気バルブが閉じられ、ピストンが上死点から下死点に向かって下降運動すると、混合気がエンジンの吸気ポートを経由して燃焼室内に吸入される。このとき、エアクリーナで濾過された空気は、エアフローメータを通り、スーパーチャージャー１よりも上流側の吸気管を構成する吸気ダクトを経由して、ハウジング２に設けられた空気吸入口から、ハウジング２の内周面とロータ３の外周面と隣設する２つの板スプリング弁６とで気密的に区画された複数の可変容積空間７のうちのいずれか１つの可変容積空間７内に流入する。
【００２４】
一方、ＥＣＵにより回転速度が制御されている電動機の駆動軸が回されると、この駆動軸の回転に伴ってロータ３が図示左回転方向に回転する。これにより、ロータ３の複数の挿入孔１２内に差し込まれた複数の板スプリング弁６が回転して、複数の可変容積空間７の容積が変化（増大した後に減少）する。このとき、複数の板スプリング弁６の各接触子１３がハウジング２の内周面に弾性接触（密着）する。具体的には、ハウジング２の空気吸入口より１つの可変容積空間７内に吸い込まれた吸入空気は、ロータ３の図示左回転方向の回転に従って吸入行程→圧縮開始行程→圧縮行程→吐出行程を経てハウジング２の空気吐出口より、スーパーチャージャー１よりも下流側の吸気管を構成するサージタンク内に吐出される。
【００２５】
したがって、スーパーチャージャー１よりも上流側の吸気管を構成する吸気ダクトからスーパーチャージャー１に流入した吸入空気は、ハウジング２の内周面とロータ３の外周面と隣設する２つの板スプリング弁６とで気密的に区画された複数の可変容積空間７の容積変化を繰り返すことによって、つまり可変容積空間７の容積が増大と減少とを繰り返すことによって圧縮されて、圧力（吸気管圧力）が増大し過給される。そして、スーパーチャージャー１内で圧縮されて吐出された空気は、サージタンクおよびインテークマニホールド（またはインテークパイプ）を経由してエンジンの吸気ポート内に到達する。そして、吸気ポート内で、インジェクタの噴射孔から噴射された燃料噴霧と混合して燃焼室内に吸入される。
【００２６】
吸気バルブが閉じられ、ピストンが上昇する圧縮行程では、混合気の中で霧化されている燃料が気化し、空気と混ざって燃え易いガスになりながら、燃焼室内で圧縮されていく。そして、ピストンが上死点に達して温度、圧力が共に高くなったところで、スパークプラグの電極間に電気火花を飛ばして点火すると、混合気は急速に燃焼し、圧力の高まった燃焼ガスによってピストンが押し下げられ、エンジンのクランクシャフトが回される（爆発行程）。そして、ピストンが下死点に達したところで、排気バルブが開かれ、燃焼ガスがエンジンの排気ポートから噴出すると共に、ピストンが上昇して燃焼室内に残った燃焼ガスを追い出す（排気行程）。本実施例のエンジンでは、以上のような吸気行程、圧縮行程、爆発行程および排気行程の４行程を、エンジンのクランクシャフトが２回転（７２０°ＣＡ）する間に実施する。
【００２７】
［実施例１の特徴］
以上のように、本実施例のスーパーチャージャー１は、円筒形状のハウジング２内に偏心状態にロータ３が取り付けられ、ロータ３の外周に複数の挿入孔１２が形成されており、それらの挿入孔１２内に、複数の板スプリング弁６が差し込まれた板スプリング式過給機（機械式過給機）である。そして、各板スプリング弁６は、ロータ３の回転方向（図示左回転方向）に凸となるように湾曲しており、しかもハウジング２の内周面に常に弾性接触することが可能な弾性変形力を有している。これによって、ロータ３の複数の挿入孔１２内に差し込まれた複数の板スプリング弁６の各接触子１３が常にハウジング２の内周面に弾性接触（密着）することで、複数の可変容積空間７のうちのいずれか１つの可変容積空間７内に吸い込まれた空気が隣設する２つの可変容積空間７のうちのいずれにも洩れ出ることはない。つまり空気の洩れを最小限とすることができる。また、各板スプリング弁６を、吸入空気の圧縮圧力を考慮した許容設定応力まで耐え得る高剛性の材料で製造することにより、吸気管の途中に介装されて、吸気管の吸気通路内をエンジンの燃焼室に向かって流れる吸入空気を強制的に吸気（過給）するスーパーチャージャー１の板状弁体として機能することができる。
【００２８】
また、複数の板スプリング弁６の接触子１３とハウジング２の内周面とを鈍角接触させているので、応力変化が少なくハウジング２または複数の板スプリング弁６が割れ難い。また、複数の板スプリング弁６の接触子１３とハウジング２の内周面との間に異物を噛み込んでも、複数の板スプリング弁６が弾性変形して逃げることができるため、ロータ３および複数の板スプリング弁６の動作不良を防止することができる。また、本実施例のスーパーチャージャー１は、構造が非常にシンプルで精度もそれほど必要ないので、非常に安価に提供できる板スプリング式過給機（機械式過給機）である。
【００２９】
なお、途中にスーパーチャージャー１のハウジング２を介装した吸気管に、スーパーチャージャー１よりも上流側の吸気通路から分岐してスーパーチャージャー１よりも下流側の吸気通路またはサージタンクに接続するか、あるいはエンジンの吸気ポートに直接接続するバイパス配管を取り付けて、そのバイパス配管内にバイパス通路を形成し、更にバイパス通路の流路開口面積を可変するバイパスバルブを設置しても良い。そして、スーパーチャージャー１を回転駆動する電動機の応答遅れに起因して、運転者がアクセルペダルを急激に踏み込む等のフル加速時に、アクセル開度の変化量に対応して設定されるスーパーチャージャー１の目標過給圧に対する制御過給圧（実過給圧）の追従性が悪くなる。このような時に、バイパスバルブを強制的に開弁（全開）しても良い。この場合には、スーパーチャージャー１を回転駆動する電動機の応答遅れに起因するエンジン回転速度の上昇遅れを防止することができるので、例えば運転者のアクセル操作量に対応した加速感を得ることができる。つまり、ドライバビリティを向上することができる。
【００３０】
また、電動機とＥＣＵの電動機駆動回路とを結線するワイヤーハーネスが断線したり、ショートしたりして、電動機がフェイル（異常停止）した時に、スーパーチャージャー１のロータ３の回転が止まり、エンジンのクランクシャフトを回すのに必要な最小限の空気量を圧送することができなくなる。このような時にも、バイパスバルブを強制的に開弁（全開）するようにしても良い。この場合には、エンジン回転速度を所定値以上に維持させるのに必要な吸入空気量を得ることができるので、エンジンが止まってしまうのを防止することができる。したがって、車両を安全な場所に退避走行（リンプフォーム）させることができる。
【実施例２】
【００３１】
［実施例２の構成］
図３ないし図８は本発明の実施例２を示したもので、図３および図６は電動過給機付エンジン用吸気システムの全体構成を示した図で、図４、図５、図７および図８はスーパーチャージャーの主要構造を示した図である。
【００３２】
本実施例の電動過給機付エンジン用吸気システムは、弁位置可変式過給機（以下スーパーチャージャーと呼ぶ）１と、このスーパーチャージャー１を介装すると共に、エンジンの燃焼室８内に吸入空気を供給する吸気管９と、エンジンの燃焼室８から排気ガスを排出する排気管（図示せず）とによって構成されている。エンジンには、エンジンの稼働状態や運転状態を検出する各種センサ、およびそれらを統合制御するエンジン制御ユニット（以下ＥＣＵと呼ぶ）等によって構成される電子制御式燃料噴射装置が搭載されている。この電子制御式燃料噴射装置は、電動式のフューエルポンプ（図示せず）により燃料を一定の圧力以上に加圧してフューエルフィルタ（図示せず）を介して電磁式燃料噴射弁（インジェクタ）１０へ送り、最適な噴射タイミングで、最適な燃料噴射量の燃料噴射を実施できるようにしたシステムである。
【００３３】
エンジンのシリンダヘッドの一方側に形成される吸気ポート１４は、吸気バルブ１５により開閉され、また、シリンダヘッドの他方側に形成される排気ポート１６は、排気バルブ１７により開閉される。そして、シリンダヘッドとシリンダブロックとで形成されるシリンダ内には、ピストン１９が摺動自在に配設されている。なお、シリンダヘッドには、先端部が燃焼室８内に露出するようにスパークプラグ（図示せず）が取り付けられている。一方、吸気管９の内部には、エンジンの燃焼室８内に吸入空気を供給するための吸気通路２０が形成されている。この吸気管９は、吸入空気を濾過するエアクリーナ２１と、このエアクリーナ２１のケース２２の下流端に気密的に連結された吸気ダクト２３と、この吸気ダクト２３の下流端にハウジング２を介して気密的に連結されて、吸気脈動を吸収するサージタンク２４と、このサージタンク２４の下流端に気密的に連結されたインテークマニホールド（またはインテークパイプ：図示せず）とから構成されている。なお、吸気ダクト２３には、吸入空気量を計測するエアフローメータ２５が組み込まれている。
【００３４】
本実施例のスーパーチャージャー１は、吸気管９の途中に介装された円筒形状のハウジング２と、このハウジング２内に偏心状態で取り付けられた回転体とを備えた弁位置可変式スーパーチャージャーである。この回転体は、ハウジング２の中心軸線よりも偏心した位置に回転中心軸線を有する第１ロータ（第１回転体）４、およびこの第１ロータ４の外周側に設けられた円筒状の第２ロータ（第２回転体）５よりなる。ハウジング２の図示上端には、天井側プレート（図示せず）が取り付けられており、また、ハウジング２の図示下端には、底側プレート（図示せず）が取り付けられている。そして、ハウジング２の内周面と第２ロータ５の外周面との間には、環状空間２９が形成されている。なお、ハウジング２の一方側（図５において図示左斜め上側）には、環状空間２９内に吸入空気を吸入するための空気吸入口（図示せず）が形成されている。また、ハウジング２の他方側（図５において図示右側）には、環状空間２９内より吸入空気を吐出するための空気吐出口（図示せず）が形成されている。
【００３５】
第１ロータ４には、電動発電機の回転軸の外周に嵌合する嵌合孔３０が形成されている。そして、電動発電機の回転軸の一端は、ハウジング２に設けられたベアリング（図示せず）により回転自在に軸支されている。そして、第１ロータ４の外周には、複数の板スプリング弁６の各端部を溶接等の接合方法を用いて保持固定する複数の保持部（挿入部）３１が形成されている。これらの保持部３１は、第１ロータ４の外周に略円弧状に設けられて、複数の凸状部３２の一方側壁面に設けられている。ここで、電動発電機は、第１ロータ４を、ハウジング２内で複数の板スプリング弁６を開弁（全開）および閉弁（全閉）することが可能な回転角度のみ駆動する電動機（第１アクチュエータ）としての機能と、通常運転時に車両に搭載された車載バッテリの充電および電気装置へ電力を供給する発電機としての機能とを備えている。この電動発電機は、回転軸に一体化されたロータ、およびこのロータの外周側に対向配置されたステータよりなる三相誘導電動発電機等の交流（ＡＣ）モータであって、ロータには、永久磁石（マグネット）を有するロータコアが設けられ、また、ステータには、三相のステータコイルが巻回されたステータコアが設けられている。
【００３６】
第２ロータ５は、第１ロータ４と相対回転運動が可能なように、第１ロータ４の複数の凸状部３２の外周に所定の寸法のクリアランス（隙間）を介して嵌め合わされている。この第２ロータ５には、電動機の駆動軸（出力軸）の外周に嵌合する嵌合部（図示せず）が形成されている。そして、電動機の駆動軸の一端は、ハウジング２に設けられたベアリング（図示せず）により回転自在に軸支されている。そして、第２ロータ５の外周には、第２ロータ５の回転中心軸線方向に対して直交する半径方向より所定の傾斜角度だけ傾いた複数の摺動溝（挿入部）３３が形成されている。各摺動溝３３は、第２ロータ５の内周面と外周面とを連通するように貫通して設けられており、複数の板スプリング弁６を摺動自在に保持する。ここで、電動機は、第１ロータ４、第２ロータ５および複数の板スプリング弁６よりなる内蔵物全体を回転駆動する第２アクチュエータである。この電動機は、実施例１と同様にして、駆動軸に一体化されたロータ、およびこのロータの外周側に対向配置されたステータよりなるブラシレスＤＣモータであって、ロータには、永久磁石（マグネット）を有するロータコアが設けられ、また、ステータには、ステータコイルが巻回されたステータコアおよびステータコイルの起磁力により磁化されるヨークハウジングが設けられている。
【００３７】
複数の板スプリング弁６の各々は、第２ロータ５の回転方向（図示左回転方向）に凸となるように湾曲しており、更に第２ロータ５の各摺動溝３３内に摺動自在に保持されており、しかも各板スプリング弁６の端部が第１ロータ４の各保持部３１に固定されている。そして、これらの各板スプリング弁６は、実施例１と同様にして、吸入空気の圧縮圧力を考慮した許容応力まで耐え得る高剛性のばね鋼（例えばステンレス鋼等）よりなる。さらに、これらの各板スプリング弁６は、図３ないし図５に示したように、閉弁時（全閉時）にハウジング２の内周面に常に弾性接触することが可能な弾性変形力を有し、更に、図６ないし図８に示したように、開弁時（全開時）に第１ロータ４の外周と第２ロータ５の内周の間に巻き込まれることが可能な弾性変形力を有している。そして、板スプリング弁６の先端に設けられる接触子１３は、閉弁時（全閉時）にハウジング２の内周面との接触角度が鈍角となるように設けられている。また、第２ロータ５の外周面より突出し先端部の接触子１３がハウジング２の内周面に常に弾性接触する複数の板スプリング弁６は、実施例１と同様にして、ハウジング２の内周面と第２ロータ５の外周面との間に形成される環状空間２９を複数の可変容積空間７に区画する複数の板状弁体を構成している。
【００３８】
本実施例のＥＣＵの内部には、ＣＰＵ、ＲＡＭまたはＲＯＭ等のメモリ、入力回路、出力回路、電源回路、第１電動機駆動回路、第２電動機駆動回路等の機能を含んで構成されるマイクロコンピュータ（過給機制御装置）が設けられ、各種センサからのセンサ信号がＡ／Ｄ変換器によってＡ／Ｄ変換された後に、マイクロコンピュータに入力されるように構成されている。そして、ＥＣＵは、エアフローメータ２５からの吸入空気量信号と計測したエンジン回転速度とから基本噴射量を計算し、この基本噴射量に各種センサからのセンサ信号による補正を加えて指令噴射量を決定している。また、吸気管圧力とエンジン回転速度とから基本噴射量を直接計算しても良い。そして、ＥＣＵは、エンジンの運転状態、例えばアクセル開度とエンジン回転速度とから目標過給圧を計算し、圧力センサ（図示せず）からの吸気管圧力を実過給圧として検出し、目標過給圧と実過給圧との偏差に基づいて電動機の目標回転速度を計算し、電動機の実回転速度が目標回転速度となるように電動機のステータコイルに印加する過給機駆動電流を調整している。
【００３９】
そして、ＥＣＵは、第１ロータ４、第２ロータ５および複数の板スプリング弁６よりなる内蔵物全体を回転駆動する電動機の応答遅れを要因として目標過給圧に実過給圧が追従しない時に、所定の条件を満足するまで、第１ロータ４を回転駆動して複数の板スプリング弁６を開弁（全開）させるように構成されている。なお、所定の条件を満足するまでとは、例えば複数の板スプリング弁６を開弁（全開）してから一定時間が経過するまでの開弁期間、あるいは目標過給圧と実過給圧との偏差がなくなるまでの期間を指す。また、ＥＣＵは、電動機とＥＣＵの第２電動機駆動回路とを結線するワイヤーハーネスが断線したり、ショートしたりして、電動機がフェイル（異常停止）した時に、第１ロータ４を回転駆動して複数の板スプリング弁６を開弁（全開）させるように構成されている。
【００４０】
［実施例２の特徴］
以上のように、本実施例の電動過給機付エンジン用吸気システムにおいては、スーパーチャージャー１の回転体の駆動方式を２軸方式とし、ハウジング２内に偏心状態で２つの第１、第２ロータ４、５を回転自在に収容している。そして、第１ロータ４を駆動する回転軸は、複数の板スプリング弁６を第２ロータ５の外周面より外方に出したり（全閉）、引っ込めたり（全開）して、複数の板スプリング弁６がハウジング２内で全閉および全開する回転角度のみ動けるように構成し、また、第２ロータ５を駆動する駆動軸は、円筒形状のハウジング２内に偏心状態で、第１ロータ４、第２ロータ５および複数の板スプリング弁６よりなる内蔵物全体を所定の回転速度で回せるように構成している。
【００４１】
そして、通常運転時には、アクセル開度とエンジン回転速度とから目標過給圧を計算し、圧力センサからの吸気管圧力を実過給圧として検出し、目標過給圧と実過給圧との偏差に基づいて電動機の目標回転速度を計算し、電動機の実回転速度が目標回転速度となるように電動機に印加する過給機駆動電流を制御している。これにより、第１ロータ４、第２ロータ５および複数の板スプリング弁６よりなる内蔵物全体が所定の回転速度で回転する。このとき、第１ロータ４の回転軸を回す電動発電機を、通常運転時にはＯＦＦ状態で使用することで、複数の板スプリング弁６は第２ロータ５の外周面より外方に出ており、複数の板スプリング弁６の各接触子１３が常にハウジング２の内周面に弾性接触（密着）している。したがって、複数の可変容積空間７のうちのいずれか１つの可変容積空間７内に吸い込まれた空気が隣設する２つの可変容積空間７のうちのいずれにも洩れ出ることはない。つまり空気の洩れを最小限とすることができる。
【００４２】
これによって、図３に示したように、吸気管の一部を構成するスロットルボデー、このスロットルボデー内に開閉自在に収容されるスロットルバルブ、およびこのスロットルバルブのバルブ開度を検出するスロットル開度センサ等により構成される、吸入空気量（吸気量）を調節するための内燃機関用吸気絞り弁装置を不要としながらも、エンジンの運転状態に対応した吸入空気量（吸気量）の空気を、エンジンの燃焼室８内に強制的に吸気（過給）することができるので、理想の燃費と出力とを得ることができる。これにより、エンジンの小型化を図ることができる。また、通常運転時には、第１ロータ４の回転軸を回す電動発電機をＯＦＦ状態で使用しており、電動機の駆動軸によって第２ロータ５と共に一体的に第１ロータ４が回転するので、電動発電機が車載バッテリの充電および電気装置へ電力を供給する発電機として機能し、電気エネルギーの自給自足を行うことができる。  
【００４３】
ここで、スーパーチャージャー１、特に第１ロータ４、第２ロータ５および複数の板スプリング弁６よりなる内蔵物全体を回転駆動する電動機の応答遅れに起因して、運転者がアクセルペダルを急激に踏み込む等のフル加速時に、アクセル開度の変化量に対応して設定される目標過給圧に対する制御過給圧（実過給圧）の追従性が悪くなる。このような時には、電動発電機をＯＮ状態とすることで、電動発電機を電動機として機能させて、図６に示したように、複数の板スプリング弁６を第１ロータ４の外周と第２ロータ５の内周の間に巻き込んで、複数の板スプリング弁６を第２ロータ５の外周面近傍まで引っ込める（全開）。これにより、ハウジング２の内周面と第２ロータ５の外周面との間に形成される環状空間２９の流路開口面積が最大となる。
【００４４】
これによって、エンジンの吸入行程で発生する吸気管負圧により吸気通路２０内に流入した吸入空気が、スーパーチャージャー１のハウジング２の空気吸入口から環状空間２９内に流入する。そして、環状空間２９からスーパーチャージャー１のハウジング２の空気吐出口、サージタンク２４、インテークマニホールド（またはインテークパイプ）および吸気ポート１４を経由してエンジンの燃焼室８内に吸入され、エンジン回転速度を上昇させるのに必要な吸入空気量を得ることができる。したがって、スーパーチャージャー１を回転駆動する電動機の応答遅れに起因するエンジン回転速度の上昇遅れを防止することができるので、空気吸入遅れを解消することができる。これにより、例えば運転者のアクセル操作量に対応した加速感を得ることができ、ドライバビリティを向上することができる。
【００４５】
また、電動機とＥＣＵの第２電動機駆動回路とを結線するワイヤーハーネスが断線したり、ショートしたりして、電動機がフェイル（異常停止）した時には、スーパーチャージャー１の第１、第２ロータ４、５の回転が止まり、エンジンのクランクシャフトを回すのに必要な最小限の空気量を圧送することができなくなる。このような時にも、電動発電機をＯＮ状態とすることで、電動発電機を電動機として機能させて、図６に示したように、複数の板スプリング弁６を第１ロータ４の外周と第２ロータ５の内周の間に巻き込んで、複数の板スプリング弁６を第２ロータ５の外周面近傍まで引っ込める（全開）。これによって、吸入空気をエンジンの燃焼室８内に吸入させることができるので、エンジンが止まってしまうのを防止することができる。したがって、通常走行可能となり、車両を安全な場所に退避走行（リンプフォーム）させることができる。
【００４６】
また、エンジンの運転状態、例えばエンジン負荷またはエンジンの暖機状態や、電動機の立ち上がり時に、スーパーチャージャー１の能力を補助する目的で、電動発電機を電動機として機能させて、複数の板スプリング弁６を第２ロータ５の外周面近傍まで引っ込める（全開）ようにしても良い。また、アイドル運転時または低速低負荷時に、電動発電機を電動機として機能させて、複数の板スプリング弁６を第２ロータ５の外周面近傍まで引っ込める（全開）ようにしても良い。また、高速高負荷時に、電動発電機を電動機として機能させて、複数の板スプリング弁６を第２ロータ５の外周面近傍まで引っ込める（全開）ようにしても良い。また、エンジンの排気管内に形成される排気通路の途中に、電動機によって回転駆動される排気機（スーパーチャージャー）を介装しても良い。この場合には、排気機を用いて排気ガスを強制的に排気させることができるので、排気量の増加に伴って吸気量が増加するため、更に燃費の向上を図ることができる。
【００４７】
［変形例］
本実施例では、流体として吸入空気等の気体を用いたが、流体として燃料または水等の液体を用いても良い。
【図面の簡単な説明】
【００４８】
【図１】スーパーチャージャーの主要構造を示した斜視図である（実施例１）。
【図２】スーパーチャージャーの主要構造を示した断面図である（実施例１）。
【図３】電動過給機付エンジン用吸気システムの全体構成を示した概略図である（実施例２）。
【図４】スーパーチャージャーの主要構造を示した斜視図である（実施例２）。
【図５】スーパーチャージャーの主要構造を示した断面図である（実施例２）。
【図６】電動過給機付エンジン用吸気システムの全体構成を示した概略図である（実施例２）。
【図７】スーパーチャージャーの主要構造を示した斜視図である（実施例２）。
【図８】スーパーチャージャーの主要構造を示した断面図である（実施例２）。
【図９】容積形ポンプの主要構造を示した断面図である（従来の技術）。
【符号の説明】
【００４９】
１  スーパーチャージャー（板スプリング式過給機、弁位置可変式過給機）
２  ハウジング
３  ロータ（回転体）
４  第１ロータ（第１回転体）
５  第２ロータ（第２回転体）
６  板スプリング弁（板状弁体）
７  可変容積空間（流体配管）
８  エンジンの燃焼室
９  吸気管
１０  インジェクタ（電磁式燃料噴射弁）
１２  挿入孔（挿入部）
１３  接触子
１４  エンジンの吸気ポート
２９  環状空間
３１  第１ロータの保持部（挿入部）
３３  第２ロータの摺動溝（挿入部）
【図１】
2005351172.tif 000003
【図２】
2005351172.tif 000004
【図３】
2005351172.tif 000005
【図４】
2005351172.tif 000006
【図５】
2005351172.tif 000007
【図６】
2005351172.tif 000008
【図７】
2005351172.tif 000009
【図８】
2005351172.tif 000010
【図９】
2005351172.tif 000011